(57)【要約】【目的】    ブラケットを用いて簡単に取り付けられる手摺り棒を提供する。【構成】  第１のブラケット２００Ａ等を介して取付位置である壁面Ｗに取り付けられる手摺り棒であって、前記第１のブラケット２００Ａ等の手摺り棒取付座２４０Ａが取り付けられる位置に長さ方向に沿って位置決め用溝１１１が形成されている。この手摺り棒１００は、中央に位置する断面略小判型の木製の中央部材１１０と、この中央部材１１０を左右両側から挟み込む断面略蒲鉾状の木製の側面部材１２０とを積層して構成したものである。１つの中央部材１１０を２つの側面部材１２０で挟み込むと、全体として丸棒状になるように構成されている。【選択図】      図１
2006200246.tif 000002
【特許請求の範囲】
【請求項１】
ブラケットを介して取付位置に取り付けられる手摺り棒において、ブラケットの手摺り棒取付座が取り付けられる位置に長さ方向に沿って位置決め用溝が形成されていることを特徴とする手摺り棒。
【請求項２】
前記位置決め用溝は、ブラケットを手摺り棒に取り付けるためのネジの先端が入り込むものであることを特徴とする請求項１記載の手摺り棒。
【請求項３】
前記位置決め用溝は、ブラケットの手摺り棒取付座に設けられた位置決め用突起が入り込むものであることを特徴とする請求項１記載の手摺り棒。
【請求項４】
ブラケットを介して取付位置に取り付けられる手摺り棒において、ブラケットの手摺り棒取付座が取り付けられる位置に長さ方向に沿って位置決め用ラインが形成されていることを特徴とする手摺り棒。
【請求項５】
丸棒状であることを特徴とする請求項１、２、３又は４記載の手摺り棒。
【発明の詳細な説明】
【技術分野】
【０００１】
本発明は、屋内の階段や廊下等の壁面にブラケットを介して取り付けれらる手摺り棒に関する。
【背景技術】
【０００２】
屋内の階段や廊下等の壁面に設けられる手摺りは、手摺り棒と、この手摺り棒を壁面に取り付けるためのブラケットとから構成されている。
一般的に手摺り棒は以下のようにしてブラケットを用いて壁面に取り付けられる。
まず、手摺り棒の一端側に１つのブラケットが取り付けられる。そして、このブラケットを壁面に仮固定するとともに、手摺り棒の他端にもう一つのブラケットを取り付ける。そして、後から手摺り棒に取り付けられたブラケットを壁面に仮固定し、さらにブラケットを手摺り棒に取り付ける。最初の２つのブラケットを壁面に本固定した後、残りのブラケットを壁面に本固定する。
【０００３】
この種のものとしては、特開２０００−１１０３１９特開平０８−０４９３８２号がある。
【０００４】
【特許文献１】特開２０００−１１０３１９
【特許文献２】特開平０８−０４９３８２号
【発明の開示】
【発明が解決しようとする課題】
【０００５】
しかしながら、この種の手摺り棒とブラケットとには以下のような問題点がある。すなわち、複数個のブラケットを一直線に手摺り棒に取り付けるのが困難である点である。複数のブラケットが一直線に手摺り棒に取り付けられなければ、ブラケットの壁面取付座が同一壁面上に位置しないことになり、複数のブラケットをきれいに壁面に取り付けることが難しいのである。
従って、ブラケットを用いた手摺り棒の壁面への取り付けは、かなりの熟練を要するのである。
【０００６】
本発明は、上記事情に鑑みて創案されたもので、ブラケットを用いて簡単に取り付けられる手摺り棒を提供することを目的としている。
【課題を解決するための手段】
【０００７】
本発明に係る手摺り棒は、ブラケットを介して取付位置に取り付けられる手摺り棒において、ブラケットの手摺り棒取付座が取り付けられる位置に長さ方向に沿って位置決め用溝が形成されている。
【０００８】
また、前記位置決め用溝は、ブラケットを手摺り棒に取り付けるためのネジの先端が入り込むものである。
【０００９】
また、前記位置決め用溝は、ブラケットの手摺り棒取付座に設けられた位置決め用突起が入り込むものである。
【００１０】
手摺り棒は、丸棒状である。
【発明の効果】
【００１１】
本発明に係る手摺り棒は、ブラケットを介して取付位置に取り付けられる手摺り棒であって、ブラケットの手摺り棒取付座が取り付けられる位置に長さ方向に沿って位置決め用溝が形成されている。
【００１２】
従って、手摺り棒とブラケットとをつなぐネジの先端を位置決め用溝に入り込ませてから両者を連結することで複数の手摺り棒を簡単に一直線に取り付けることが可能になる。さらに、ネジの先端が位置決め用溝に位置するので、ネジを真っ直ぐに手摺り棒にねじ込むことが可能になる。
【発明を実施するための最良の形態】
【００１３】
図１は本発明の実施の形態に係る手摺り棒の図面であって、同図（Ａ）は概略的側面図、同図（Ｂ）は同図（Ａ）のＡ−Ａ線断面図、同図（Ｃ）は同図（Ｂ）のＡ部の拡大図、図２は本発明の実施の形態に係る手摺り棒を第１のブラケットを用いて取付位置である壁面に取り付けた状態を示す図面であって、同図（Ａ）は概略的側面図、同図（Ｂ）は概略的底面図、図３は本発明の実施の形態に係る手摺り棒を第２のブラケットを用いて取付位置である壁面に取り付けた状態を示す図面であって、同図（Ａ）は概略的側面図、同図（Ｂ）は概略的底面図、図４は本発明の実施の形態に係る手摺り棒を第３のブラケットを用いて取付位置である壁面に取り付けた状態を示す図面であって、同図（Ａ）は概略的底面図、同図（Ｂ）は概略的側面図、図５は本発明の実施の形態に係る手摺り棒を第４のブラケットを用いて取付位置である壁面に取り付けた状態を示す図面であって、同図（Ａ）は概略的底面図、同図（Ｂ）は概略的側面図である。
【００１４】
本発明の実施の形態に係る手摺り棒１００は、第１のブラケット２００Ａ等を介して取付位置である壁面Ｗに取り付けられる手摺り棒であって、前記第１のブラケット２００Ａ等の手摺り棒取付座２４０Ａが取り付けられる位置に長さ方向に沿って位置決め用溝１１１が形成されている。
【００１５】
この手摺り棒１００は、図１（Ｂ）に示すように中央に位置する断面略小判型の木製の中央部材１１０と、この中央部材１１０を左右両側から挟み込む断面略蒲鉾状の木製の側面部材１２０とを積層して構成したものである。１つの中央部材１１０を２つの側面部材１２０で挟み込むと、全体として丸棒状になるように構成されている。なお、中央部材１１０と側面部材１２０との接合は、接着剤、特にホルムアルデヒドを含まない接着剤で行われる。
【００１６】
前記中央部材１１０の円弧状に形成された２面のうち、一方には長さ方向に沿った位置決め用溝１１１が形成されている。この位置決め用溝１１１は、図１（Ｂ）及び（Ｃ）に示すように、Ｖ字形状になっている。かかる位置決め用溝１１１は、手摺り棒１００と後述する第１のブラケット２００Ａ等とを連結するネジ２６０Ａの先端が入り込むものであるので、最大幅寸法約２ｍｍ、深さ寸法約１ｍｍに設定されている。
【００１７】
なお、この手摺り棒１００は、図１（Ａ）に示すように、両端には面取り処理が施されている。
【００１８】
次に、このように構成された手摺り棒１００を取付位置である壁面Ｗに取り付けるための第１のブラケット２００Ａについて、図２を参照しつつ説明する。
この第１のブラケット２００Ａは、図２に示すように、丸棒を湾曲させた形状の略Ｌ字形状のブラケット本体部２１０Ａと、このブラケット本体部２１０Ａの一方に設けられる壁面取付座２２０Ａと、この壁面取付座２２０Ａに被せられる化粧カバー２３０Ａとを有している。前記ブラケット本体部２００Ａの他方、すなわち壁面取付座２２０Ａが設けられていない側の端部は、手摺り棒１００を受ける手摺り棒取付座２４０Ａとなっている。具体的には、取り付けるべき手摺り棒１００の太さに対応した曲率の湾曲面が形成されているのである。
【００１９】
また、前記ブラケット本体部２１０Ａには、前記手摺り棒取付座２４０Ａに貫通した貫通孔２５０Ａが開設されている。この貫通孔２５０Ａは、手摺り棒１００を第１のブラケット２００Ａに取り付ける際に使用されるネジ２６０Ａが貫通する部分である。
【００２０】
さらに、前記壁面取付座２２０Ａは、ブラケット本体部２１０Ａより径大の円形に形成されている。かかる壁面取付座２１０Ａには、３つの貫通孔２１１Ａが１２０°の間隔で開設されている。この３つの貫通孔２１１Ａは、第１のブラケット２００Ａを壁面Ｗに取り付けるためのネジ２７０Ａが貫通する部分である。なお、この壁面取付部２２０Ａの側面には、化粧カバー２３０Ａを取り付けるための２つの切欠２２１Ａが設けられている。
【００２１】
前記化粧カバー２３０Ａは、壁面取付座２２０Ａを覆うものであって、略円形薄皿状に形成されている。そして、この化粧カバー２３０Ａの中央には、ブラケット本体部２１０Ａが貫通する丸孔（図示省略）が開設されている。
【００２２】
本発明の実施の形態に係る手摺り棒１００は、上述したように構成された第１のブラケット２００Ａを介して取付位置である壁面Ｗに以下のようにして取り付けられる。
まず、手摺り棒１００の一端側に第１のブラケット２００Ａを取り付ける。この際、第１のブラケット２００Ａの前記貫通孔２５０Ａにネジ２６０Ａを貫通させ、このネジ２６０Ａの先端が貫通孔２５０Ａから突出するようにして取り付ける。すなわち、第１のブラケット２００Ａの手摺り棒取付座２４０Ａからネジ２６０Ａの先端が突出するようにするのである。
【００２３】
この状態で、手摺り棒取付座２４０Ａの上に手摺り棒１００を載置し、前記ネジ２６０Ａの先端が位置決め用溝１１１に入り込むようにする。ネジ２６０Ａの先端が位置決め用溝１１１に嵌まり込んだということは、手摺り棒１００が第１のブラケット２００Ａの手摺り棒取付座２４０Ａの上に正確に載置されたということを示している。従って、この状態で前記ネジ２６０Ａをねじ込むことで手摺り棒１００は正確に第１のブラケット２００Ａに取り付けられることになる。また、ネジ２６０Ａの先端が位置決め用溝１１１に嵌まり込んでいるので、位置決め用溝１１１によってネジ２６０Ａのねじ込みが案内され、確実なねじ込みが可能となるというメリットもある。
【００２４】
なお、手摺り棒１００に第１のブラケット２００Ａを取り付ける前に、第１のブラケット２００Ａのブラケット本体部２１０Ａを化粧カバー２３０Ａの丸孔に挿通しておく。この状態で、ネジ２７０Ａを用いて第１のブラケット２００Ａを壁面Ｗに取り付ける。そして、化粧カバー２３０Ａを壁面取付座２２０Ａに被せる。この状態の化粧カバー２３０Ａの周壁を凹ませて切欠２２１Ａに係合させる。これにより、化粧カバー２３０Ａは完全に壁面取付座２２０Ａを覆い隠し、前記ネジ２７０Ａが見えないようになる。
【００２５】
手摺り棒１００を１つの第１のブラケット２００Ａで壁面Ｗに取り付けた後、手摺り棒１００の他方に他の第１のブラケット２００Ａをあてがい、ネジ２６０Ａで手摺り棒１００に取り付ける。この際も同様に、ネジ２６０Ａの先端を貫通孔２５０Ａから突出させ、ネジ２６０Ａの先端を手摺り棒１００の位置決め用溝１１１に入り込ませることで手摺り棒１００の第１のブラケット２００Ａに対する位置を決定し、ねじ止めする。
【００２６】
手摺り棒１００は、２つの第１のブラケット２００Ａによって壁面Ｗに取り付けらたことになる。その後、必要に応じた位置において第１のブラケット２００Ａを用いて手摺り棒１００を壁面に取り付ける。その際も、第１のブラケット２００Ａの手摺り棒１００に対する位置決めは、ネジ２６０Ａの先端が手摺り棒１００の位置決め用溝１１１に入り込むことで行われる。
【００２７】
また、図３に示すような第２のブラケット２００Ｂの場合も同様である。この第２のブラケット２００Ｂが上述した第１のブラケット２００Ａと相違する点は、手摺り棒取付座２４０Ｂがブラケット本体部２１０Ｂのままではなく、それよりも大きな略樋状に形成されている点と、壁面取付座２２０Ｂがブラケット本体部２１０Ｂと一体に形成されているのではなく、ネジ２８０Ｂで連結されている点とである。
【００２８】
この第２のブラケット２００Ｂの手摺り棒取付座２４０Ｂには、ネジ２６０Ｂのための２つの開口２４１Ａが開設されている。前記手摺り棒取付座２４０Ａは、略樋状に形成されているため、薄くなっている。かかる第２のブラケット２００Ｂの場合にも、手摺り棒１００を略樋状に形成された手摺り棒取付座２４０Ｂにあてがい、手摺り棒取付座２４０Ｂの２つの開口２４１Ｂからネジ２６０Ｂを挿入し、ネジ２６０Ｂの先端を手摺り棒１００の位置決め用溝１１１に入り込ませて位置決めを行う。
【００２９】
その後の手順等は上述した第１のブラケット２００Ａと同様の手順で手摺り棒１００を壁面Ｗに取り付ける。
【００３０】
図４に記載された第３のブラケット２００Ｃにあっては、上述した２つの第１、第２のブラケット２００Ａ、２００Ｂが手摺り棒１００を下側から受けるような状態で取り付けているが、この第３のブラケット２００Ｃにおいては、真横から手摺り棒１００が取り付けられるようになっている。
【００３１】
このような第３のブラケット２００Ｃであっても、手摺り棒取付座２４０Ｃの貫通孔２５０Ｃにネジ２６０Ｃを挿入し、ネジ２６０Ｃの先端を手摺り棒１００の位置決め用溝１１１に入り込ませることで手摺り棒１００の第３のブラケット２００Ｃに対する位置決めを行うことは同様である。
【００３２】
なお、図４（Ｂ）においては、化粧カバー２３０Ｃが壁面取付座２２０Ｃに取り付けられる前の状態を示している。
【００３３】
さらにまた、図５に記載された第４のブラケット２００Ｄにあっては、手摺り棒取付座２４０Ｄが略樋状に形成されており、この手摺り棒取付座２４０Ｄに、手摺り棒１００を取り付けるためのネジ２６０Ｄの２つの開口２４１Ｄが開設されている。
【００３４】
また、この開口２４１Ｄに挿入されるネジ２６０Ｄは、その先端が手摺り棒１００の位置決め用溝１１１に入り込むようにはなっていない（図５（Ｂ）参照）。このため、この場合にはブラケット２００Ｄの手摺り棒取付座２４０Ｄの内側に前記位置決め用溝１１１に入り込むための位置決め用突起２４２Ｄが形成されている（図５（Ｂ）参照）。  
【００３５】
なお、上述した実施の形態では、手摺り棒１００は、積層の木製であるとして説明したが、金属製あるいはプラスチック製等の他の素材から構成されてもよいことはいうまでもない。また、前記手摺り棒１００は、１つの央部材１１０及び２つの側面部材１２０から構成されるとしたが、分割されない１つ無垢の部材から構成されるものであってもよいこともいうまでもない。ただし、無垢の木製であると、反りや捩れの問題が生じるので、木製の場合には積層材であることが望ましい。
【００３６】
また、上述した実施の形態では、位置決め用溝１１１はＶ字形状であるとしたが、本発明はこれに限定されるものではない。例えば、位置決め用溝１１１は、Ｕ字形状や凹字形状であってもよい。
【００３７】
さらに、上述した実施の形態では、手摺り棒１００は、丸棒状であるとしたが、他の形状、例えば、四角棒状や三角棒状等であってもよいことはいうまでもない。
【００３８】
また、上述した実施の形態では、手摺り棒１００に形成される位置決め用溝１１１は１本であるとしたが、２本以上であってもよい。そこの位置決め用溝１１１の本数は、ブラケットの形状等によって適宜変更されるものとする。
【００３９】
さらに、上述した実施の形態では、手摺り棒１００に形成されるのは位置決め用溝１１１であるとしたが、単に印刷等により形成された線や、手摺り棒１００に貼り付けられた接着テープ等の位置決め用ラインであってもよい。ただし、これらの場合には、ネジのねじ込みの案内という効果はないが、複数のブラケットを直線上に配置するという効果はある。
【図面の簡単な説明】
【００４０】
【図１】本発明の実施の形態に係る手摺り棒の図面であって、同図（Ａ）は概略的側面図、同図（Ｂ）は同図（Ａ）のＡ−Ａ線断面図、同図（Ｃ）は同図（Ｂ）のＡ部の拡大図である。
【図２】本発明の実施の形態に係る手摺り棒を第１のブラケットを用いて取付位置である壁面に取り付けた状態を示す図面であって、同図（Ａ）は概略的側面図、同図（Ｂ）は概略的底面図である。
【図３】本発明の実施の形態に係る手摺り棒を第２のブラケットを用いて取付位置である壁面に取り付けた状態を示す図面であって、同図（Ａ）は概略的側面図、同図（Ｂ）は概略的底面図である。
【図４】本発明の実施の形態に係る手摺り棒を第３のブラケットを用いて取付位置である壁面に取り付けた状態を示す図面であって、同図（Ａ）は概略的底面図、同図（Ｂ）は概略的側面図である。
【図５】本発明の実施の形態に係る手摺り棒を第４のブラケットを用いて取付位置である壁面に取り付けた状態を示す図面であって、同図（Ａ）は概略的底面図、同図（Ｂ）は概略的側面図である。
【符号の説明】
【００４１】
１００    手摺り棒
１１１    位置決め用溝
【図１】
2006200246.tif 000003
【図２】
2006200246.tif 000004
【図３】
2006200246.tif 000005
【図４】
2006200246.tif 000006
【図５】
2006200246.tif 000007